(57)【要約】【課題】キーロック機能を有する電子機器において、キーロック状態を解消して第２の状態に切り替えるための操作性を向上させることのできる電子機器を提供する。【解決手段】電子機器である炊飯器では、第１の状態としてのキーロック状態において、取消のスイッチに対して、長押し操作とは異なる操作がなされた場合に（Ｓ１０１でＹＥＳ、かつＳ１０３でＮＯ）、第２の状態としてのキーロック状態を解除した状態へ切り替えることなく、長押し操作を報知する（Ｓ１０７）。【選択図】図１１
2014018551.tif 000002
【特許請求の範囲】
【請求項１】
第１の状態から第２の状態へ切り替え可能な電子機器であって、
操作スイッチと、
前記第１の状態において前記操作スイッチのうちの所定のスイッチに対する予め規定された所定の操作がなされた場合に前記第２の状態へ切り替える制御を行なうための制御部とを備え、
前記制御部は、前記第１の状態において、前記所定のスイッチに対する、前記所定の操作とは異なる操作がなされた場合に前記所定の操作を報知するための制御を行なう、電子機器。
【請求項２】
前記制御部は、前記第１の状態において前記所定のスイッチ以外のスイッチの操作がなされた場合にはその操作を無効とし、前記第２の状態において前記操作スイッチの操作を有効とする、請求項１に記載の電子機器。
【請求項３】
指定されたプログラムを実行中には前記第１の状態となり、前記所定のスイッチ以外のスイッチの操作を無効とする、請求項２に記載の電子機器。
【請求項４】
表示部をさらに備え、
前記制御部は、前記第１の状態において前記所定のスイッチに対する、前記所定の操作とは異なる操作がなされた場合に、前記所定の操作の方法を表わす表示を前記表示部に行なわせる、請求項１〜３のいずれかに記載の電子機器。
【請求項５】
前記制御部は、前記所定のスイッチに対する、前記所定の操作に不足した操作がなされた場合に、前記所定の操作を報知するための制御を行なう、請求項１〜４のいずれかに記載の電子機器。
【請求項６】
前記所定の操作は予め規定された時間、前記操作スイッチを連続してＯＮする操作であって、前記制御部は、前記所定のスイッチの連続してＯＮされた時間が前記予め規定された時間に満たない場合に、前記第２の状態へ切り替えることなく、前記予め規定された時間、連続してＯＮする操作であることを報知するための制御を行なう、請求項５に記載の電子機器。
【発明の詳細な説明】
【技術分野】
【０００１】
この発明は電子機器に関し、特に、キーロック機能を有する電子機器に関する。
【背景技術】
【０００２】
操作スイッチの操作を無効とするキーロック状態を有する電子機器は広く知られている。キーロック状態は、一例として、シーケンスに従って動作している際にそのシーケンス外の動作をさせることを防止するために操作スイッチすべての操作が無効とされたり、特定の操作スイッチの操作が無効とされたりする状態を指す。
【０００３】
たとえば、電子機器がＤＶＤ（Digital Versatile Disk）プレーヤ等である場合に、特定のＤＶＤ等の再生中に巻き戻しや停止を禁止するためにこれら操作スイッチの操作が無効とされることがある。
【０００４】
また、電子機器が洗濯機や掃除機などの家電機器である場合には、洗濯中や掃除中に蓋の解放を禁止するために蓋開閉用スイッチの操作が無効とされることがある。
【０００５】
また、電子機器が加熱調理機器である場合には、加熱調理中に蓋の解放や調理プログラムの取消を禁止するためにこれら操作スイッチの操作が無効とされることがある。
【０００６】
これらのキーロック状態は、特に誤動作を防止することを目的にしている場合には、長押しなどの所定の操作によって解消されるようになっている。たとえば、特開２０１２−４８２８３号公報（以下、特許文献１）は、携帯端末において電話機能などを制限するロック状態をメニューキーの長押しで解消する構成を開示している。
【先行技術文献】
【特許文献】
【０００７】
【特許文献１】特開２０１２−４８２８３号公報
【発明の概要】
【発明が解決しようとする課題】
【０００８】
このような電子機器においてキーロック状態に例示されるような第１の状態を解消して第２の状態に切り替えるための操作を行なう際に、所定の操作が不完全である場合がある。たとえば長押しであるところをその時間が達しない押下としてしまったり、２回のタップ操作が必要であるところを１回しかしなかったりする場合がある。
【０００９】
上記特許文献１では、ロック状態の解消方法をとしてタッチの長押しを促すメッセージを表示するものとし、時間の経過を表わすオブジェクトも表示するものとしているが、その表示によって長押し等の操作が必要であると理解した場合であっても、その操作をしたと思い込んでいるユーザにとっては、その操作が不完全でキーロック状態が解消されなかった場合に、その理由が分からずに困惑してしまう、という問題がある。
【００１０】
本発明はこのような問題に鑑みてなされたものであって、キーロック機能を有する電子機器において、キーロック状態に例示される第１の状態を解消して第２の状態に切り替えるための操作性を向上させることのできる電子機器を提供することを目的としている。
【課題を解決するための手段】
【００１１】
上記目的を達成するために、本発明のある局面に従うと、第１の状態から第２の状態へ切り替え可能な電子機器であって、電子機器は、操作スイッチと、第１の状態において操作スイッチのうちの所定のスイッチに対する予め規定された所定の操作がなされた場合に第２の状態へ切り替える制御を行なうための制御部とを備える。制御部は、第１の状態において、所定のスイッチに対する、所定の操作とは異なる操作がなされた場合に所定の操作を報知するための制御を行なう。
【００１２】
好ましくは、制御部は、第１の状態において所定のスイッチ以外のスイッチの操作がなされた場合にはその操作を無効とし、第２の状態において操作スイッチの操作を有効とする。
【００１３】
より好ましくは、電子機器では、指定されたプログラムを実行中には第１の状態となり、所定のスイッチ以外のスイッチの操作を無効とする。
【００１４】
好ましくは、電子機器は表示部をさらに備え、制御部は、第１の状態において所定のスイッチに対する、所定の操作とは異なる操作がなされた場合に、所定の操作の方法を表わす表示を表示部に行なわせる。
【００１５】
好ましくは、制御部は、所定のスイッチに対する、所定の操作に不足した操作がなされた場合に、所定の操作を報知するための制御を行なう。
【００１６】
より好ましくは、所定の操作は予め規定された時間、操作スイッチを連続してＯＮする操作であって、制御部は、所定のスイッチの連続してＯＮされた時間が予め規定された時間に満たない場合に、第２の状態へ切り替えることなく、予め規定された時間、連続してＯＮする操作であることを報知するための制御を行なう。
【発明の効果】
【００１７】
この発明によると、キーロック機能を有する電子機器において、キーロック状態に例示される第１の状態を解消して第２の状態に切り替えるための操作性を向上させることができる。
【図面の簡単な説明】
【００１８】
【図１】実施の形態にかかる炊飯器の蓋体閉鎖時の概略斜視図である。
【図２】炊飯器の蓋体開放時の概略斜視図である。
【図３】炊飯器の回転体の概略下面図である。
【図４】第１，第２撹拌体の撹拌状態を説明するための概略斜視図である。
【図５】炊飯器の概略上面図である。
【図６】炊飯器の液晶表示部の拡大図である。
【図７】炊飯器の概略断面図である。
【図８】炊飯器の制御系の構成の概要を表わしたブロック図である。
【図９】図８の制御系構成の内のメイン制御系の詳細を表わしたブロック図である。
【図１０】図８の制御構成の内のサブ制御系の詳細を表わしたブロック図である。
【図１１】メインＣＰＵでの、キーロック状態における動作の流れを表わすフローチャートである。
【発明を実施するための形態】
【００１９】
以下に、図面を参照しつつ、本発明の実施の形態について説明する。以下の説明では、同一の部品および構成要素には同一の符号を付してある。それらの名称および機能も同じである。
【００２０】
以下の例においては、本発明にかかる電子機器の具体例として加熱調理機器である炊飯器を挙げて説明する。もちろん、電子機器は炊飯器に限定されず、オーブンや電子レンジ等の他の加熱調理機器であってもよいし、加熱調理機器に限定されず、洗濯機や掃除機などの他の家電機器であってもよいし、家電機器に限定されずＤＶＤプレーヤ等の一般的な電子機器であってもよい。本発明にかかる電子機器は、操作スイッチを有し、シーケンスに従って一連の動作を行なう電子機器であれば、どのようなものであってもよい。
【００２１】
＜装置構成＞
図１は、本実施の形態にかかる炊飯器１００を斜め上方から見た概略斜視図である。
【００２２】
図１を参照して、炊飯器１００は、炊飯器本体１と、炊飯器本体１に開閉可能に取り付けられた蓋体２とを含む。炊飯器本体１は蓋体２に対して下部に位置する。
【００２３】
炊飯器本体１の前面には、蓋体２を開けるための開ボタン３が配される。炊飯器本体１の後面には電源コード４７が配される。この電源コード４７の大部分は、炊飯器本体１内のコードリール(図示せず)に引き出し可能に巻き付けられていている。
【００２４】
蓋体２の上面の前部には、炊き方や調理名などを表示する液晶表示部５と、複数の操作スイッチ６とが配され、さらに、操作スイッチ６には動作状態を表わすためのＬＥＤ（Light Emitting Diode）インジケータ６１が設けられている。操作スイッチ６は物理的な押下を受け付けるスイッチであってもよいし、静電容量式タッチキーであってもよい。操作スイッチ６が静電容量式タッチキーである場合には、インジケータ６１に替えてタッチキーのバックライトが用いられてもよい。なお、液晶表示部５は表示部の一例である。
【００２５】
蓋体２の上面の後部には、内鍋７（図２）内の蒸気を排出するための蒸気排出口２ａが設けられる。
【００２６】
図２は、蓋体２を開いた状態の炊飯器１００の概略斜視図である。
図２を参照して、炊飯器本体１には、被加熱物の一例としての米や水などを収容するための内鍋７が収納されている。
【００２７】
炊飯器本体１の上面の前部には被係止部８が設けられており、蓋体２の下面の前部には係止部２３が設けられている。被係止部８には係止部２３が解除可能に係止する。
【００２８】
炊飯器本体１内には、蓋体２をロックするための蓋ロック部９が設けられている。蓋ロック部９が蓋体２をロックしていないときには、開ボタン３を押すと被係止部８が後方に移動するため、被係止部８に対する係止部２３の係止は解除される。蓋ロック部９が蓋体２をロックしているときは、開ボタン３を押しても被係止部８が後方に移動しないため、被係止部８に対する係止部２３の係止は解除されない。
【００２９】
蓋体２は、蓋体２を閉じたときに内鍋７側とは反対側に位置する外蓋２１と、蓋体２を閉じたときに内鍋７側に位置する内蓋２２とを含む。
【００３０】
外蓋２１内には撹拌モータ２４が設置されている。外蓋２１の中央部内には回転可能に連結軸（図示せず）が設置され、撹拌モータ２４が発生した回転駆動力を、プーリ（図示せず）やベルト（図示せず）を介して受けて回転する。
【００３１】
炊飯器本体１と蓋体２との間には回転体２５が回転可能に配置されて、蓋体２に着脱可能に取り付けられている。より詳しくは、回転体２５の蓋体２側の部分からは回転軸２９の一方の端部が突出している（図４参照）。回転軸２９は、一方の端部が外蓋２１の上記連結軸に着脱可能に連結されて、上記連結軸と一体に回転する。また、回転軸２９は回転体２５に対して回転可能となっている。
【００３２】
回転体２５には第１，第２撹拌体２６Ａ，２６Ｂ（これらを代表させて撹拌体２６とも称する）が取り付けられている。第１，第２撹拌体２６Ａ，２６Ｂは、それぞれ、径方向において回転体２５と隣り合って、内鍋７内の米などに接触した撹拌状態と、内鍋７内の米などから乖離した非撹拌状態とを切替可能になっている。すなわち、第１，第２撹拌体２６Ａ，２６Ｂのそれぞれは、一方の端部が回転体２５に回動可能に取り付けられて、他方の端部が、回転体２５から離れたり、回転体２５に近づいたりすることが可能になっている。なお、第１，第２撹拌体２６Ａ，２６Ｂは撹拌体の一例である。
【００３３】
図３は、回転体２５を内鍋７側から見た概略図である。
回転体２５は、蓋体側部材２７と、この蓋体側部材２７の内鍋７側の表面に着脱可能に取り付けられた内鍋側部材２８とを有している。蓋体側部材２７と内鍋側部材２８との間には、第１，第２撹拌体兼用傘ギア３０と、第１撹拌体用ギア３１Ａ，３２Ａ，３３Ａと、第２撹拌体用ギア３１Ｂ，３２Ｂ，３３Ｂとが配置されている。回転軸２９の回転駆動は、第１，第２撹拌体兼用傘ギア３０および第１撹拌体用ギア３１Ａ，３２Ａ，３３Ａを介して第１撹拌体用回動軸３４Ａに伝わると共に、第１，第２撹拌体兼用傘ギア３０および第２撹拌体用ギア３１Ｂ，３２Ｂ，３３Ｂを介して第２撹拌体用回動軸３４Ｂに伝わる。これにより、回転軸２９が回転すれば、第１，第２撹拌体２６Ａ，２６Ｂを第１，第２撹拌体用回動軸３４Ａ，３４Ｂを中心に回動させて、図２，図３に示す非撹拌状態から図４に示す撹拌状態に切り替えたり、上記撹拌状態から上記非撹拌状態に切り替えたりすることが可能になっている。
【００３４】
なお、図４では、第１，第２撹拌体２６Ａ，２６Ｂを視認できるように、炊飯器本体１および蓋体２の図示を省略している。
【００３５】
図５は、炊飯器１００を上方から見た概略上面図である。
図５を参照して、蓋体２の上面の前部には表示部の一例としての液晶表示部５と、液晶表示部５を囲むように配置された複数の操作スイッチ６とが設けられている。
【００３６】
操作スイッチ６は、保温／取消スイッチ６Ａと、お料理選択スイッチ６Ｂと、炊飯選択スイッチ６Ｃと、炊飯／スタートスイッチ６Ｄと、洗米スイッチ６Ｅと、予約スイッチ６Ｆと、下方向スイッチ６Ｇと、上方向スイッチ６Ｈとを含む。各操作スイッチ６Ａ〜６Ｈには、それぞれＬＥＤインジケータ６１Ａ〜６１Ｈが設けられている。
【００３７】
保温／取消スイッチ６Ａは、保温の開始、または開始した調理や選択内容などの取り消しを指示するためのスイッチであって、ＬＥＤインジケータ６１Ａが点灯していることで保温状態であることを表わす。
【００３８】
お料理選択スイッチ６Ｂは、予め記憶されている調理メニュー内から実行する調理メニューを選択するためのスイッチであって、押すたびに予め規定された順で調理メニューが選択状態となる。ＬＥＤインジケータ６１Ｂが点灯していることで調理メニューが選択された状態であることを表わす。
【００３９】
炊飯選択スイッチ６Ｃは、予め記憶されている炊飯メニューの内から実行する炊飯メニューを選択するためのスイッチであって、押すたびに予め規定された順で炊飯メニューが選択状態となる。ＬＥＤインジケータ６１Ｃが点灯していることで炊飯メニューが選択された状態であることを表わす。
【００４０】
炊飯／スタートスイッチ６Ｄは、炊飯メニューや調理メニューや後述する洗米メニューのスタートを指示するためのスイッチであって、押すことで、先に選択されているメニューに対応したプログラムに従った動作（調理等）が開始される。ＬＥＤインジケータ６１Ｄが点灯していることで炊飯メニュー、調理メニュー、または洗米メニューが実行中の状態であることを表わす。
【００４１】
洗米スイッチ６Ｅは、内鍋７に収容された米を水洗いする動作メニューである洗米メニューを選択するためのスイッチである。ＬＥＤインジケータ６１Ｅが点灯していることで洗米メニューが選択された状態であることを表わす。
【００４２】
予約スイッチ６Ｆは、炊飯メニューや調理メニューや洗米メニューなどの開始の予約を指示するためのスイッチであって、押すことで、先に選択されているメニューの開始までの時間（予約時間）を受け付ける状態となる。ＬＥＤインジケータ６１Ｆが点灯していることで炊飯メニューや調理メニューや洗米メニューなどの開始が予約された状態であることを表わす。
【００４３】
下方向スイッチ６Ｇおよび上方向スイッチ６Ｈは、選択内容や設定時間を先または後へ送る（先送り、後送り）ことを指示するためのスイッチである。ＬＥＤインジケータ６１Ｇ，６１Ｈが点灯していることで先送り操作または後送り操作がなされている状態であることを表わす。
【００４４】
図６は、液晶表示部５の拡大図であり、液晶表示部５が表示可能な文字および図をすべて図示している。
【００４５】
液晶表示部５は、米の種類を表示するための米表示部５ａと、米の炊き方を表示するための炊き方表示部５ｂと、調理メニューを表示するための調理表示部５ｃと、回転体２５や第１，第２撹拌体２６Ａ，２６Ｂによる内鍋７内の撹拌状態を表示するための内部状態表示部５ｄと、時間表示部５ｅと、操作スイッチ６での操作状態を表示するための操作状態表示部５ｆとを含む。
【００４６】
米表示部５ａは、一例として、「白米」、「無洗米」、「玄米」、「発芽玄米」および「分づき米」のうちの１つを表示する。
【００４７】
炊き方表示部５ｂは、一例として、「ごはん」、「極上」、「おいそぎ」、「炊きこみ」、「おかゆ」、「極美がゆ」、「カレー用」、「少量」、「おこげ」、「すしめし」および「エコ炊飯」のうちの１つを表示する。
【００４８】
調理表示部５ｃは、一例として、「煮物」、「シチュー」、「蒸し物」、「お菓子」、「マイメニュー」、「予約１」および「予約２」のうちの１つを表示する。
【００４９】
これらの米表示部５ａ、炊き方表示部５ｂ、調理表示部５ｃの表示は、操作スイッチ６の操作に応じて変化する。
【００５０】
内部状態表示部５ｄの表示は、回転体２５および第１，第２撹拌体２６Ａ，２６Ｂの状態に応じて変化する。
【００５１】
時間表示部５ｅの表示は時間または調理工程の経過に伴って変化する。
操作状態表示部５ｆは、操作スイッチ６での操作が無効状態となっていることを表示する。
【００５２】
図７は、炊飯器１００を鉛直面で切った断面の概略図である。
炊飯器１００は、上記炊飯器本体１と、炊飯器本体１内に収納される内鍋７と、炊飯器本体１の上部に開閉可能に取り付けられ、内鍋７を覆うように閉じることが可能な蓋体２と、蓋体２を閉じたときに内鍋７側とは反対側に位置する外蓋２１と、蓋体２を閉じたときに内鍋７側に位置する内蓋２２と、内蓋２２を加熱するための蓋ヒータ４ａと、内鍋７の側面を加熱することで内鍋７内の被加熱物を保温するための保温ヒータ４ｂと、炊飯器本体１内の下側に配置され、内鍋７を誘導加熱するための誘導コイル４ｃと、内鍋７の温度を検知するための温度センサ１５ａと、内鍋７に収容された被加熱物の重量を検知するための重量センサ１５ｂと、蓋体２に着脱可能に取り付けられた回転体２５とを含む。なお、誘導コイル４ｃは加熱部の一例である。
【００５３】
外蓋２１内には撹拌モータ２４が設置されている。回転体２５の回転軸２９は内蓋２２を貫通し、その一方の端部が図示しないプーリやベルトを介して撹拌モータ２４に接続されている。
【００５４】
外蓋２１の表面には液晶表示部５および操作スイッチ６が設けられ、外蓋２１内には、液晶表示部５および操作スイッチ６と接続され、その操作に従って炊飯器１００全体を制御するためのメイン制御部が含まれる。メイン制御部には、メインＣＰＵ（Central Processing Unit）１０ａと、メインＲＯＭ（Read Only Memory）１１ａおよびメインＲＡＭ（Random Access Memory）１２ａなどである記憶部とが含まれる。
【００５５】
炊飯器本体１と内鍋７との間の空間には、メインＣＰＵ１０ａからの制御信号を受けて、誘導コイル４ｃによる誘導加熱など、炊飯器本体１に含まれる各部を制御するためのサブ制御部が含まれる。サブ制御部には、サブＣＰＵ１０ｂと、サブＲＯＭ１１ｂおよびサブＲＡＭ１２ｂなどである記憶部とが含まれる。
【００５６】
サブ制御部および誘導コイル４ｃ近傍には、これらの発熱を冷却するための冷却ファン１３が配置される。
【００５７】
＜機能構成＞
図８は、炊飯器１００の制御系の構成の概要を表わしたブロック図である。
【００５８】
図８を参照して、炊飯器１００の制御系は、大きくは、蓋体２側のメイン制御系と炊飯器本体１側のサブ制御系とに分かれる。蓋体２側のメイン制御系はメインＣＰＵ１０ａを含み、炊飯器本体１側のサブ制御系はサブＣＰＵ１０ｂを含む。
【００５９】
メインＣＰＵ１０ａはメイン制御系に含まれる各機能を制御する他、サブＣＰＵ１０ｂに対して制御信号を出力して、サブＣＰＵ１０ｂにサブ制御系に含まれる各機能の制御を実行させる。また、サブＣＰＵ１０ｂは各種信号をメインＣＰＵ１０ａに対して出力する。
【００６０】
メインＣＰＵ１０ａとサブＣＰＵ１０ｂとは電気的に分離（絶縁）されている。そのため、メインＣＰＵ１０ａとサブＣＰＵ１０ｂとの間の上記信号のやり取りは、好ましくは無線通信が利用される。一例として、フォトカプラが用いられてもよい。すなわち、メイン制御系およびサブ制御系は、それぞれ、通信部５４ａ，５４ｂを含み、上記信号をやり取りする。通信部５４ａ，５４ｂは好ましくは無線通信を行ない、一例として、フォトカプラが挙げられる。
【００６１】
メイン制御系には電源回路５０ａ、サブ制御系には電源回路５０ｂ，５０ｃが含まれる。炊飯器本体１に含まれる電源コード４７（図示せず）を介して商用電源４７０から供給された交流電力は、サブ制御系の電源回路５０ｂ，５０ｃにもたらされる。
【００６２】
サブ制御系の電源回路５０ｃは供給された交流電力を直流電力に変換してサブＣＰＵ１０ｂに供給する。サブ制御系の電源回路５０ｂはメイン制御系への供給用の電源回路であって、供給された交流電力を直流電力に変換した後に、メイン制御系に供給するための交流電力に変換して絶縁トランス４０に渡す。交流電力は絶縁トランス４０において変圧された後にメイン制御系の電源回路５０ａに入力される。メイン制御系の電源回路５０ａは、入力された交流電力を直流電力に変換してメインＣＰＵ１０ａに供給する。すなわち、電源回路５０ａおよび電源回路５０ｂは、絶縁トランス４０によって電気的に絶縁されており、電磁誘導によって電源回路５０ａから電源回路５０ｂへ電気エネルギーを伝達する。
【００６３】
図９は、図８の制御系構成の内のメイン制御系の詳細を表わしたブロック図である。一部、説明のためにサブ制御系の構成も図示されている。
【００６４】
図９を参照して、メイン制御系にはメインＣＰＵ１０ａが含まれる。メインＣＰＵ１０ａは電源回路５０ａから電力供給を受けて動作する。
【００６５】
メインＣＰＵ１０ａには、メインＣＰＵ１０ａで実行されるプログラムを記憶するためのＲＯＭ１１ａと、プログラム実行の際の作業領域となるＲＡＭ１２ａとが電気的に接続される。
【００６６】
メインＣＰＵ１０ａには、さらに、通信部５４ａ、液晶表示部５、操作スイッチ６、ＬＥＤインジケータ６１、ブザー１４、タイマー１６、着脱検知部５５、モータ駆動回路５７、および蓋開閉検知部５６が電気的に接続されている。
【００６７】
メインＣＰＵ１０ａは操作スイッチ６からの操作信号の入力を受け付けることで対応するプログラムを選択し、実行する。メインＣＰＵ１０ａは、プログラムを実行することで液晶表示部５での表示、ＬＥＤインジケータ６１の点灯／消灯、ブザー１４の鳴動を制御する。また、サブ制御系に含まれる各部のうち上記プログラムの実行に基づいて制御対象となる構成を制御するための制御信号を通信部５４ａに渡すことで、サブＣＰＵ１０ｂに対して出力する。
【００６８】
モータ駆動回路５７は撹拌モータ２４を駆動させるための機構であり、メインＣＰＵ１０ａは上記プログラムの実行に従って、必要なタイミングで必要な駆動量で撹拌モータ２４を駆動させるよう、モータ駆動回路５７を制御する。なお、モータ駆動回路５７には、後述する蓋開閉検知部５６からの検知信号も入力され、その検知に応じて撹拌モータ２４を駆動／非駆動するようにしてもよい。
【００６９】
着脱検知部５５は、蓋体２に着脱可能に構成されている回転体２５の着脱を検知するための機構である。具体的な構成は特定の構成に限定されるものではないが、一例として、回転体２５の回転軸２９に動力を伝える撹拌モータ２４のパルス信号に基づいてその回転量を判断し、回転体２５の着脱を検知する構成が挙げられる。他の構成として、たとえば着脱を検知するためのセンサを用いてもよい。
【００７０】
蓋開閉検知部５６は蓋体２の炊飯器本体１に対する開閉状態を検知するための機構である。具体的な構成は特定の構成に限定されるものではないが、一例として、被係止部８に対する係止部２３の係止を検知するためのセンサを用いてもよい。
【００７１】
また、図９の構成の他、回転体２５に対する撹拌体２６の状態（撹拌状態、非撹拌状態）を検知するための機構が含まれてもよい。この機構の構成もまた特定の構成に限定されるものではないが、たとえば、センサを用いてもよいし、撹拌モータ２４のパルス信号に基づいてその回転量を判断することで撹拌体２６の状態を検知してもよい。
【００７２】
これらの検知信号はメインＣＰＵ１０ａに入力され、必要に応じて制御に用いられる。
図１０は、図８の制御構成の内のサブ制御系の詳細を表わしたブロック図である。一部、説明のためにメイン制御系の構成も図示されている。
【００７３】
図１０を参照して、サブ制御系にはサブＣＰＵ１０ｂが含まれる。サブＣＰＵ１０ｂは電源回路５０ｃから電力供給を受けて動作する。
【００７４】
サブＣＰＵ１０ｂには、同期検出部４３、ＩＧＢＴ（Insulated Gate Bipolar Transistor：絶縁ゲートバイポーラトランジスタ）４５、カレントトランス５９、リレー５１ａ，５１ｂ、パルス信号を発生させるための発振回路５２、蓋ロック駆動部４４、ファン駆動回路５８、温度検知回路４１、およびリセット制御を行なうためのリセット回路５３が電気的に接続されている。
【００７５】
商用電源４７０からの電力線は、リレー５１ｃを経て整流回路４８に接続されている。商用電源４７０から整流回路４８までの間にはカレントトランス５９が接続される。カレントトランス５９は、電力線に流れる電流を検出し、検出値をサブＣＰＵ１０ｂに対して出力する。
【００７６】
整流回路４８にはチョークコイル４２を経てコンデンサ４６，４９が接続され、コンデンサ４６に並列に誘導コイル４ｃが接続されている。整流回路４８によって直流に変換された電力がチョークコイル４２およびコンデンサ４９からなる平滑回路を経て誘導コイル４ｃに供給される。コンデンサ４６および誘導コイル４ｃはＩＧＢＴ４５を経てサブＣＰＵ１０ｂに接続されている。
【００７７】
さらに、商用電源４７０からの電力線は、ダイオードＤ１，Ｄ２を経て蓋ヒータ４ａおよび保温ヒータ４ｂに接続され、これらヒータに電力が供給される。蓋ヒータ４ａおよび保温ヒータ４ｂへの給電経路には、リレー５１ａ，５１ｂが接続される。リレー５１ａ，５１ｂはサブＣＰＵ１０ｂからの制御信号に応答してＯＮ／ＯＦＦされる。リレー５１ａ，５１ｂは、蓋ヒータ４ａ、保温ヒータ４ｂへの給電経路を遮断可能な「開閉装置」を構成する。
【００７８】
サブＣＰＵ１０ｂにはさらに通信部５４ｂが電気的に接続され、メインＣＰＵ１０ａからの制御信号を通信部５４ｂで受信してその制御信号に従って各部を制御する。このとき、サブＣＰＵ１０ｂは、ＲＯＭ１１ｂに記憶されているプログラムを読み出してＲＡＭ１２ｂに展開しつつ実行するようにしてもよい。
【００７９】
すなわち、サブＣＰＵ１０ｂは、メインＣＰＵ１０ａからの制御信号に従ってＩＧＢＴ４５のＯＮ／ＯＦＦを制御することで、誘導コイル４ｃでの加熱を制御する。このとき、同期検出部４３が商用電源４７０から供給される交流電力から同期信号を抽出し、サブＣＰＵ１０ｂに入力する。サブＣＰＵ１０ｂは、同期信号に基づくタイミングでＩＧＢＴ４５のＯＮ／ＯＦＦを制御する。
【００８０】
また、サブＣＰＵ１０ｂは、メインＣＰＵ１０ａからの制御信号に従ってリレー５１ａ，５１ｂのＯＮ／ＯＦＦを制御することで、蓋ヒータ４ａおよび保温ヒータ４ｂでの加熱、保温を制御する。
【００８１】
蓋ロック駆動部４４は蓋ロック部９を駆動させるための機構であり、サブＣＰＵ１０ｂはメインＣＰＵ１０ａからの制御信号に従って蓋ロック部９に施錠／解錠させるよう蓋ロック駆動部４４を制御する。
【００８２】
ファン駆動回路５８は冷却ファン１３を駆動させるための機構であり、サブＣＰＵ１０ｂはメインＣＰＵ１０ａからの制御信号に従って冷却ファン１３を駆動させるよう、ファン駆動回路５８を制御する。
【００８３】
温度検知回路４１は内鍋７内の温度を検知するための機構であり、温度センサ１５ａからのセンサ信号に基づいて温度を検知して、検知信号をサブＣＰＵ１０ｂに入力する。
【００８４】
リレー５１ｃは、商用電源４７０から供給された電力の、蓋ヒータ４ａ、保温ヒータ４ｂ、および誘導コイル４ｃへの供給を遮断する。リレー５１ｃの励磁コイルは、メイン制御系のメインＣＰＵ１０ａに接続される。メインＣＰＵ１０ａから励磁コイルに電力が供給されると、リレー５１ｃの接点が閉成（ＯＦＦ）される。励磁コイルの非通電時には、リレー５１ｃに接点が開放（ＯＮ）される。すなわち、メイン制御系のメインＣＰＵ１０ａは、実行するプログラムに従って蓋ヒータ４ａ、保温ヒータ４ｂ、および誘導コイル４ｃへ電力の供給を直接遮断するための制御が可能となる。
【００８５】
＜動作概要＞
炊飯器１００では、炊飯メニューや調理メニューが選択され、該メニューに対応したプログラムを実行しているときには、操作スイッチ６のすべてのスイッチの入力を無効とする。また、他の例として、一部のスイッチのみ入力を無効とするようにしてもよい。また、メニュー実行中以外では、最後の操作から所定時間経過するとすべてのスイッチの入力を無効としてもよい。この、操作スイッチ６のすべてのスイッチまたは一部のスイッチの入力が無効とされている状態を、「キーロック状態」と称する。
【００８６】
ここでの入力の無効は、メインＣＰＵ１０ａにおいて操作スイッチ６からの操作信号の入力を受け付けた上で、メインＣＰＵ１０ａでの処理や、最後の操作信号の入力時からの経過時間に基づいてその入力を有効とするか無効とするかを判断した結果、無効とするものであってもよいし、メインＣＰＵ１０ａでプログラムを実行しているときや、最後の操作信号の入力時から所定時間経過しているときには、メインＣＰＵ１０ａが操作スイッチ６からの操作信号の入力を受け付けないようにしてもよい。
【００８７】
上記キーロック状態は、所定の操作として、保温／取消スイッチ６Ａを長押しすることによって解消されるものとする。すなわち、メインＣＰＵ１０ａは、キーロック状態において保温／取消スイッチ６Ａが長押しされたことを検知すると、操作スイッチ６のすべてのスイッチの入力を有効とする状態に切り替える。
【００８８】
ここで図６を再度参照して、操作状態表示部５ｆには、キーロック状態であることを表わす「鍵」のマークの表示と、キーロック状態の解消に用いる保温／取消スイッチ６Ａを表わす「取消」のマークの表示と、キーロック状態の解消のための操作として長押しを行なうことを表わす「長押し」のマークの表示とが含まれる。
【００８９】
キーロック状態では、好ましくは、操作状態表示部５ｆは「鍵」のマークを表示する。これにより、ユーザは、液晶表示部５での表示によって当該炊飯器１００がキーロック状態であることを認識できる。
【００９０】
さらに、好ましくは、操作状態表示部５ｆは「取消」のマークおよび「長押し」のマークも表示する。これにより、ユーザは、液晶表示部５での表示によってキーロック状態を解消する方法が保温／取消スイッチ６Ａの長押しであることを認識できる。
【００９１】
キーロック状態において、保温／取消スイッチ６Ａが操作されたものの、その操作がキーロック状態を解除するための操作に不足していると判断された場合には、キーロック状態の解消を意図した操作であったものの適切な操作が行なわれなかったと判断し、操作状態表示部５ｆは、キーロック状態の解消方法を報知する。報知の一例として、操作状態表示部５ｆは「長押し」のマークの表示を点滅させることが挙げられる。また、他の例として、「取消」のマークおよび「長押し」のマークの表示を点滅させてもよい。
【００９２】
キーロック状態を解除するための操作に不足した操作とは、本例のようにキーロック状態を解除するための操作が長押し操作である場合には予め規定されている「長押し」のための押下時間に対する実際の押下時間が不足した操作が該当する。しかしながら、後述するように、キーロック状態を解除するための操作は長押しの他の操作であってよく、たとえば、所定回数の押下する操作などであってもよい。このような場合には、不足した操作とは、押下の回数が上記所定回数に不足した操作が該当する。キーロック状態を解除するための操作がその他の操作であっても、不足した操作とは同様に規定された内容に不足した操作のことを指す。
【００９３】
他の例として、保温／取消スイッチ６Ａ以外のスイッチが長押し操作されたことが検知された場合にも、キーロック状態の解消を意図した操作であったものの適切な操作が行なわれなかったと判断し、操作状態表示部５ｆは、キーロック状態の解消方法を報知するようにしてもよい。この場合、報知の一例として、操作状態表示部５ｆは「長押し」のマークの表示を点滅させることが挙げられる。
【００９４】
なお、上述の報知方法は一例であって、他の方法であってもよい。他の方法としては、たとえば、操作状態表示部５ｆは表示色を変化させることが可能であって、保温／取消スイッチ６Ａの操作が長押しに足らなかったことが検知された場合に、「長押し」のマークの表示を通常の色と異なる色として点灯してもよいし、ブザー１４でエラー音を発生させてもよい。
【００９５】
このような報知がなされることで、ユーザは、キーロック状態を解消するためには保温／取消スイッチ６Ａを長押し操作する必要があることを把握することができる。また、その操作を行なったつもりでキーロック状態が解消されなかったときにその理由を把握することができる。
【００９６】
なお、上述の例では、キーロック状態を解消する方法として特定のスイッチの長押し操作を挙げているが、その他、複数回のタップ操作や、通常よりも強い押下操作や、広い範囲でのタッチ操作などの、通常時とは異なる操作方法であればどのような方法であってもよい。さらに、特定のスイッチは１つに限定されず、複数のスイッチの組み合わせてであってもよい。たとえば、複数のスイッチを、ある規定された順に操作していく、などの操作であってもよい。
【００９７】
＜動作フロー＞
図１１は、メインＣＰＵ１０ａでの、キーロック状態における動作の流れを表わすフローチャートである。図１１の動作は、メインＣＰＵ１０ａがＲＯＭ１１ａに記憶されるプログラムを読み出してＲＡＭ１２ａに展開しつつ実行し、図８〜図１０の各部を制御することによって実現される。
【００９８】
図１１を参照して、メインＣＰＵ１０ａは、キーロック状態において保温／取消スイッチ６Ａが操作されたことを検出すると（ステップＳ１０１でＹＥＳ）、その押下時間が予め規定されている長押し時間に達するか否かを判断する。その結果、保温／取消スイッチ６Ａが長押し操作されている場合には（ステップＳ１０３でＹＥＳ）、キーロック状態を解消するための操作がなされたものとして、ステップＳ１０５でメインＣＰＵ１０ａはキーロック状態を解消し、以降の操作を有効として受け付ける。この後メインＣＰＵ１０ａは、操作スイッチ６の操作に従う動作を行なう。
【００９９】
検出された操作が保温／取消スイッチ６Ａでない場合には（ステップＳ１０１でＮＯ）、キーロック状態においてはその操作が無効とされる。そのため、メインＣＰＵ１０ａは、その操作に従う動作を行なうことなく、待機する。
【０１００】
保温／取消スイッチ６Ａが操作されたことが検出されたものの（ステップＳ１０１でＹＥＳ）、その押下時間が予め規定されている長押し時間に不足して長押し操作とは検出されなかった場合（ステップＳ１０３でＮＯ）、キーロック状態を解消するための操作を誤ったものとして、ステップＳ１０７でメインＣＰＵ１０ａは、キーロック状態を解消するための操作の報知として「長押し」のマークの表示を点滅させる。そして、動作を最初に戻して、次の操作を待機する。
【０１０１】
なお、上記ステップＳ１０７では、表示を点灯させる報知に替えて、または加えて、点灯させる色を異ならせてもよい。また、ブザー１４の鳴動によって報知するようにしてもよい。
【０１０２】
＜実施の形態の効果＞
本実施の形態にかかる炊飯器１００において上記の動作が行なわれることで、ユーザはキーロック状態を解消させようとして操作した際にその操作が誤っていた場合に、どうしてキーロック状態が解消されないのかという理由を把握することができる。そのため、効率的に、また、確実にキーロック状態を解消することができる。
【０１０３】
特に、上述の動作ではキーロック状態を解消させるための操作が誤っていると検出されたタイミングで報知されるため、キーロック状態であるときに常時、キーロック状態を解消するための方法が報知されているよりも、キーロック状態が解消されない理由を把握しやすい。
【０１０４】
先述のように、本発明にかかる電子機器は炊飯器に限定されず、オーブンや電子レンジ等の他の加熱調理機器、洗濯機や掃除機などの他の家電機器、ＤＶＤプレーヤ等の一般的な電子機器など、キーロック状態を有し、所定の操作によってキーロック状態が解消されるものであればどのような電子機器であってもよい。これら電子機器に含まれるＣＰＵにおいて上述の動作がなされることで、キーロック状態を解消させるための操作が誤っていると検出されたタイミングで操作方法の報知がされることになり、キーロック状態が解消されない理由を把握しやすくなる。
【０１０５】
さらに、上述の動作を炊飯器１００のメインＣＰＵ１０ａ等、電子機器のＣＰＵに実行させるためのプログラムを提供することもできる。このようなプログラムは、コンピュータに付属するフレキシブルディスク、ＣＤ−ＲＯＭ（Compact Disk-Read Only Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１０６】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１０７】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１０８】
提供されるプログラム製品は、ハードディスクなどのプログラム格納部にインストールされて実行される。なお、プログラム製品は、プログラム自体と、プログラムが記録された記録媒体とを含む。
【０１０９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１０】
１  炊飯器本体、２  蓋体、２ａ  蒸気排出口、３  開ボタン、４ａ  蓋ヒータ、４ｂ  保温ヒータ、４ｃ  誘導コイル、５  液晶表示部、６，６Ａ〜６Ｈ  操作スイッチ、７  内鍋、８  被係止部、９  蓋ロック部、１０ａ  メインＣＰＵ、１０ｂ  サブＣＰＵ、１１ａ，１１ｂ  ＲＯＭ、１２ａ，１２ｂ  ＲＡＭ、１３  冷却ファン、１４  ブザー、１５ａ  温度センサ、１５ｂ  重量センサ、１６  タイマー、２１  外蓋、２２  内蓋、２３  係止部、２４  撹拌モータ、２５  回転体、２６  撹拌体、２７  蓋体側部材、２２８  内鍋側部材、２９  回転軸、３０  撹拌体兼用傘ギア、３１Ａ，３２Ａ，３３Ａ  第１撹拌体用ギア、３１Ｂ，３２Ｂ，３３Ｂ  第２撹拌体用ギア、３４Ａ  第１撹拌体用回動軸、３４Ｂ  第２撹拌体用回動軸、４０  絶縁トランス、４１  温度検知回路、４２  チョークコイル、４３  同期検出部、４４  蓋ロック駆動部、４５  ＩＧＢＴ、４６，４９  コンデンサ、４７  電源コード、４８  整流回路、５０ａ，５０ｂ，５０ｃ  電源回路、５１ａ，５１ｂ，５１ｃ  リレー、５２  発振回路、５３  リセット回路、５４ａ，５４ｂ  通信部、５５  着脱検知部、５６  蓋開閉検知部、５７  モータ駆動回路、５８  ファン駆動回路、５９  カレントトランス、６１，６１Ａ〜６１Ｈ  インジケータ、１００  炊飯器、４７０  商用電源。
【図１】
2014018551.tif 000003
【図２】
2014018551.tif 000004
【図３】
2014018551.tif 000005
【図４】
2014018551.tif 000006
【図５】
2014018551.tif 000007
【図６】
2014018551.tif 000008
【図７】
2014018551.tif 000009
【図８】
2014018551.tif 000010
【図９】
2014018551.tif 000011
【図１０】
2014018551.tif 000012
【図１１】
2014018551.tif 000013